(57)【特許請求の範囲】
【請求項１】
水ポンプを備えている１系統の冷・温水回路に対して、複数台のヒートポンプチラーが接続されているヒートポンプシステムにおいて、
複数台の前記ヒートポンプチラーを複数系列に分け、該系列毎に前記ヒートポンプチラーを前記１系統の冷・温水回路に対して並列に接続する並列回路と、
前記系列毎の前記ヒートポンプチラーを前記１系統の冷・温水回路に対して直列に接続する直列回路と、を備え、
前記並列回路および前記直列回路が切替え手段を介していずれかに切替え可能とされていることを特徴とするヒートポンプシステム。
【請求項２】
前記系列毎の前記ヒートポンプチラーは、それぞれ直列に接続されている複数台の前記ヒートポンプチラーにより構成されていることを特徴とする請求項１に記載のヒートポンプシステム。
【請求項３】
前記系列毎の複数台の前記ヒートポンプチラーは、一体にモジュール化され、該モジュール毎に前記並列回路または前記直列回路を介して並列または直列に接続可能とされていることを特徴とする請求項２に記載のヒートポンプシステム。
【請求項４】
前記並列回路は、前記系列毎の前記ヒートポンプチラーを前記１系統の冷・温水回路に対して、互いに並列に接続する回路とされ、前記直列回路は、一の系列の前記ヒートポンプチラーの前記冷・温水回路の出口側と、他の系列の前記ヒートポンプチラーの前記冷・温水回路の入口側との間を接続する回路とされていることを特徴とする請求項１ないし３のいずれかに記載のヒートポンプシステム。
【請求項５】
前記切替え手段は、前記一の系列の前記ヒートポンプチラーの前記冷・温水回路の出口側に設けられた第１電磁弁、前記他の系列の前記ヒートポンプチラーの前記冷・温水回路の入口側に設けられた第２電磁弁および前記直列回路に設けられた第３電磁弁により構成されていることを特徴とする請求項４に記載のヒートポンプシステム。
【請求項６】
前記第１電磁弁および前記第３電磁弁は、前記直列回路の前記一の系列の前記冷・温水回路への接続部に設けられた１個の三方切替え弁により代替されていることを特徴とする請求項５に記載のヒートポンプシステム。
【請求項７】
前記冷・温水回路を流れる水の流量を検出し、その流量が設定値以上のとき、前記切替え手段を介して前記ヒートポンプチラーの前記冷・温水回路を前記並列回路に切替え、前記流量が設定値以下のとき、前記切替え手段を介して前記ヒートポンプチラーの前記冷・温水回路を前記直列回路に切替える制御部を備えていることを特徴とする請求項１ないし６のいずれかに記載のヒートポンプシステム。
【請求項８】
前記並列回路および前記直列回路は、手動の操作スイッチにより、前記切替え手段を介して切替え可能とされていることを特徴とする請求項１ないし７のいずれかに記載のヒートポンプシステム。
【発明の詳細な説明】
【技術分野】
【０００１】
本発明は、１系統の冷・温水回路に対して、複数台のヒートポンプチラーが接続されているヒートポンプシステムに関するものである。
【背景技術】
【０００２】
１系統の冷・温水回路に対して、複数台のヒートポンプチラーを接続し、冷水または温水を製造するヒートポンプシステムにおいては、特許文献１，２に示すように、複数台のヒートポンプチラーを１系統の冷・温水回路に対して直列に接続するか、もしくは特許文献３に示すように、複数台のヒートポンプチラーを１系統の冷・温水回路に対して並列に接続するかのいずれかであった。
【先行技術文献】
【特許文献】
【０００３】
【特許文献１】特開平４−３５０４６８号公報
【特許文献２】特開２００７−１９８６９３号公報
【特許文献３】特開２００２−１９５６８４号公報
【発明の概要】
【発明が解決しようとする課題】
【０００４】
上記特許文献１，２に示す如く、複数台のヒートポンプチラーを冷・温水回路に対して直列に接続したものでは、直列に接続した複数台のヒートポンプチラーに対する冷・温水回路の配管長が長くなることから、大流量の水を流す際、水ポンプの揚程不足によって水を流し切ることができなくなる場合がある。このため、必要以上に高揚程のポンプあるいは大容量のポンプを使用しなければならず、ポンプ動力が大きくなってランニングコストが嵩む等の課題があった。
【０００５】
一方、上記特許文献３に示す如く、複数台のヒートポンプチラーを冷・温水回路に対して並列に接続したものでは、低流量時において、並列に接続しているヒートポンプチラーに対して並列回路により水が分流されることから、各ヒートポンプチラーの水回路を流れる水の流量が低下する。このため、冷媒／水熱交換器での水側の熱伝達率が低下し、効率が悪化する等の課題があった。
【０００６】
本発明は、このような事情に鑑みてなされたものであって、大流量時のポンプ揚程不足や低流量時の効率低下等を解消し、常に高効率で運転することができるヒートポンプシステムを提供することを目的とする。
【課題を解決するための手段】
【０００７】
上記した課題を解決するために、本発明のヒートポンプシステムは、以下の手段を採用する。
すなわち、本発明にかかるヒートポンプシステムは、水ポンプを備えている１系統の冷・温水回路に対して、複数台のヒートポンプチラーが接続されているヒートポンプシステムにおいて、複数台の前記ヒートポンプチラーを複数系列に分け、該系列毎に前記ヒートポンプチラーを前記１系統の冷・温水回路に対して並列に接続する並列回路と、前記系列毎の前記ヒートポンプチラーを前記１系統の冷・温水回路に対して直列に接続する直列回路と、を備え、前記並列回路および前記直列回路が切替え手段を介していずれかに切替え可能とされていることを特徴とする。
【０００８】
本発明によれば、１系統の冷・温水回路に接続されている複数台のヒートポンプチラーを複数系列に分け、系列毎にヒートポンプチラーを１系統の冷・温水回路に対して並列に接続する並列回路と、複数の系列毎のヒートポンプチラーを１系統の冷・温水回路に対して直列に接続する直列回路とを備え、該並列回路および直列回路が切替え手段を介していずれかに切替え可能とされているため、１系統の冷・温水回路を流れる水の流量が増大することで、水ポンプが揚程不足により水を流し切ることができなくなる虞がある場合、複数台のヒートポンプチラーへの冷・温水回路を系列毎の並列回路に切替え、複数台のヒートポンプチラーに対する冷・温水回路側の配管長を短くすることによってポンプ揚程を確保し、水を流し切ることができる。一方、水の流量が低流量となり、ポンプ揚程に余裕がある場合、複数台のヒートポンプチラーへの冷・温水回路を直列回路に切替え、複数台のヒートポンプチラーに対して直列に水を流すことにより、冷媒／水熱交換器での水流量の低下を防ぎ、水側の熱伝達率の低下を抑制して各ヒートポンプチラーを高効率で運転することができる。従って、水ポンプを必要以上に高揚程ポンプあるいは大容量ポンプとする必要がなく、水ポンプを低コスト化、省動力化することができるとともに、各ヒートポンプチラーを常に高効率で運転し、ＣＯＰ（成績係数）を向上することができる。
【０００９】
さらに、本発明のヒートポンプシステムは、上記のヒートポンプシステムにおいて、前記系列毎の前記ヒートポンプチラーは、それぞれ直列に接続されている複数台の前記ヒートポンプチラーにより構成されていることを特徴とする。
【００１０】
本発明によれば、系列毎のヒートポンプチラーが、それぞれ直列に接続されている複数台のヒートポンプチラーにより構成されているため、系列毎にヒートポンプチラーを２台あるいは３台と直列に接続するか、もしくは系列を２系列あるいは３系列と増やすことによって、ヒートポンプチラーの接続台数を増減することができる。従って、ヒートポンプシステムとしての能力の調整を容易化することができるとともに、水ポンプや各ヒートポンプチラーのＣＯＰを最適化することができる。
【００１１】
さらに、本発明のヒートポンプシステムは、上記のヒートポンプシステムにおいて、前記系列毎の複数台の前記ヒートポンプチラーは、一体にモジュール化され、該モジュール毎に前記並列回路または前記直列回路を介して並列または直列に接続可能とされていることを特徴とする。
【００１２】
本発明によれば、系列毎の複数台のヒートポンプチラーが、一体にモジュール化され、該モジュール毎に並列回路または直列回路を介して並列または直列に接続可能とされているため、系列毎に複数台のヒートポンプチラーをモジュール化し、一体で据え付けることができる。従って、ヒートポンプチラーの接続台数が増える程、据え付けの容易化とその低コスト化を図ることができる。
【００１３】
さらに、本発明のヒートポンプシステムは、上述のいずれかのヒートポンプシステムにおいて、前記並列回路は、前記系列毎の前記ヒートポンプチラーを前記１系統の冷・温水回路に対して、互いに並列に接続する回路とされ、前記直列回路は、一の系列の前記ヒートポンプチラーの前記冷・温水回路の出口側と、他の系列の前記ヒートポンプチラーの前記冷・温水回路の入口側との間を接続する回路とされていることを特徴とする。
【００１４】
本発明によれば、並列回路が、系列毎のヒートポンプチラーを１系統の冷・温水回路に対して、互いに並列に接続する回路とされ、直列回路が、一の系列の冷・温水回路のヒートポンプチラーの出口側と、他の系列の冷・温水回路のヒートポンプチラーの入口側との間を接続する回路とされているため、切替え手段によって系列毎に並列に接続されている回路を１系統の冷・温水回路に対して連通状態とするか、または一の系列の冷・温水回路の出口側および他の系列の冷・温水回路の入口側を閉じ、その間を接続する直列回路を連通状態とするかによって、複数台のヒートポンプチラーへの冷・温水回路を並列回路または直列回路のいずれかに簡易に切替えることができる。従って、運転状況に応じて複数台のヒートポンプチラーを直列または並列に切替え接続することにより、状況に応じた最適な運転を行わせることができる。
【００１５】
さらに、本発明のヒートポンプシステムは、上記のヒートポンプシステムにおいて、前記切替え手段は、前記一の系列の前記ヒートポンプチラーの前記冷・温水回路の出口側に設けられた第１電磁弁、前記他の系列の前記ヒートポンプチラーの前記冷・温水回路の入口側に設けられた第２電磁弁および前記直列回路に設けられた第３電磁弁により構成されていることを特徴とする。
【００１６】
本発明によれば、切替え手段が、一の系列のヒートポンプチラーの冷・温水回路の出口側に設けられた第１電磁弁、他の系列のヒートポンプチラーの冷・温水回路の入口側に設けられた第２電磁弁および直列回路に設けられた第３電磁弁により構成されているため、第１電磁弁および第２電磁弁を開、第３電磁弁を閉とすることにより、各系列の冷・温水回路を並列に接続した並列回路を形成し、第１電磁弁および第２電磁弁を閉、第３電磁弁を開とすることにより、各系列の冷・温水回路を直列に接続した直列回路を形成することができる。従って、安価な電磁弁を用い、そのＯＮ／ＯＦＦによって並列回路または直列回路に簡易に切替えることができ、回路切替えの信頼性を確保することができる。
【００１７】
さらに、本発明のヒートポンプシステムは、上記のヒートポンプシステムにおいて、前記第１電磁弁および前記第３電磁弁は、前記直列回路の前記一の系列の前記冷・温水回路への接続部に設けられた１個の三方切替え弁により代替されていることを特徴とする。
【００１８】
本発明によれば、第１電磁弁および第３電磁弁が、直列回路の一の系列の冷・温水回路への接続部に設けられた三方切替え弁により代替されているため、切替え手段を構成する弁の数を低減し、冷・温水回路を簡素化することができる。従って、部品点数および冷・温水回路の配管施工時の工数を低減し、低コスト化を図ることができる。
【００１９】
さらに、本発明のヒートポンプシステムは、上述のいずれかのヒートポンプシステムにおいて、前記冷・温水回路を流れる水の流量を検出し、その流量が設定値以上のとき、前記切替え手段を介して前記ヒートポンプチラーの前記冷・温水回路を前記並列回路に切替え、前記流量が設定値以下のとき、前記切替え手段を介して前記ヒートポンプチラーの前記冷・温水回路を前記直列回路に切替える制御部を備えていることを特徴とする。
【００２０】
本発明によれば、冷・温水回路を流れる水の流量を検出し、その流量が設定値以上のとき、切替え手段を介してヒートポンプチラーの冷・温水回路を並列回路に切替え、水の流量が設定値以下のとき、切替え手段を介してヒートポンプチラーの冷・温水回路を直列回路に切替える制御部を備えているため、制御部が冷・温水回路側での水の変流量を流量計等で検出し、水の流量が設定値以上の大流量となって、水ポンプが揚程不足となる流量を超えた場合、切替え手段を介してヒートポンプチラーの冷・温水回路を直列回路から並列回路に切替えることができる。従って、冷・温水回路側の流量を監視し、水の流量が設定値以上の場合は、並列回路に、設定値以下の場合は、直列回路に自動的に切替えることにより、水ポンプの揚程不足やヒートポンプチラーの効率悪化を解消することができる。
【００２１】
さらに、本発明のヒートポンプシステムは、上述のいずれかのヒートポンプシステムにおいて、前記並列回路および前記直列回路は、手動の操作スイッチにより、前記切替え手段を介して切替え可能とされていることを特徴とする。
【００２２】
本発明によれば、並列回路および直列回路が、手動の操作スイッチにより、切替え手段を介して切替え可能とされているため、ヒートポンプシステムの用途や負荷側の要求仕様等に対応して、予め並列回路または直列回路のいずれか一方に固定して使用することが望ましい場合は、手動の操作スイッチで並列回路または直列回路のいずれかに固定して使用することが可能となる。従って、手動の操作スイッチを設けることにより、ヒートポンプシステムの使い方を多様化することができる。
【発明の効果】
【００２３】
本発明によると、１系統の冷・温水回路を流れる水の流量が増大することで、水ポンプが揚程不足により水を流し切ることができなくなる虞がある場合、複数台のヒートポンプチラーへの冷・温水回路を系列毎の並列回路に切替え、複数台のヒートポンプチラーに対する冷・温水回路側の配管長を短くすることによりポンプ揚程を確保し、水を流し切ることができる。一方、水の流量が低流量となり、ポンプ揚程に余裕がある場合、複数台のヒートポンプチラーへの冷・温水回路を直列回路に切替え、複数台のヒートポンプチラーに対して直列に水を流すことにより、冷媒／水熱交換器での水流量の低下を防ぎ、水側の熱伝達率の低下を抑制して各ヒートポンプチラーを高効率で運転することができるため、水ポンプを必要以上に高揚程ポンプあるいは大容量ポンプとする必要がなく、水ポンプを低コスト化、省動力化することができるとともに、各ヒートポンプチラーを常に高効率で運転し、ＣＯＰ（成績係数）を向上することができる。
【図面の簡単な説明】
【００２４】
【図１】本発明の第１実施形態に係るヒートポンプシステムの冷・温水回路の系統図である。
【図２】図１に示すヒートポンプシステムに適用する空冷ヒートポンプチラーの冷媒回路図である。
【図３】図１に示すヒートポンプシステムの冷・温水回路に設けられるポンプの性能特性図である。
【図４】図１に示すヒートポンプシステムに適用する空冷ヒートポンプチラーのＣＯＰ特性図である。
【図５】図４に示すＣＯＰ特性の入力特性を導く、水の流量とコンプ入力およびポンプ入力との関係を表した特性図である。
【発明を実施するための形態】
【００２５】
以下に、本発明にかかる実施形態について、図面を参照して説明する。
［第１実施形態］
以下、本発明の第１実施形態について、図１ないし図５を用いて説明する。
図１には、本発明の第１実施形態に係るヒートポンプシステムの冷・温水回路の系統図が示され、図２には、そのヒートポンプシステムに適用する空冷ヒートポンプチラーの冷媒回路図が示されている。
本実施形態のヒートポンプシステム１は、水ポンプ３を備えた１系統の冷・温水回路２に対して、複数台（本実施形態では、４台）の空冷ヒートポンプチラー（ヒートポンプチラー）４Ａないし４Ｄが接続された構成とされている。
【００２６】
この複数台（４台）の空冷ヒートポンプチラー４Ａないし４Ｄは、複数の系列（本実施形態では、２系列）の分けられており、空冷ヒートポンプチラー４Ａと４Ｂが一の系列の冷・温水回路２Ａに対して直列に接続され、空冷ヒートポンプチラー４Ｃと４Ｄが他の系列の冷・温水回路２Ｂに対して直列に接続された構成とされている。更に、各系列の冷・温水回路２Ａ，２Ｂ同士は、１系統の冷・温水回路２に対して並列に接続され、複数台のヒートポンプチラー４Ａないし４Ｄを、１系統の冷・温水回路２に対して、並列に接続する並列回路５を構成している。
【００２７】
また、一の系列の冷・温水回路２Ａにおける空冷ヒートポンプチラー４Ａ，４Ｂの出口側と、他の系列の冷・温水回路２Ｂにおける空冷ヒートポンプチラー４Ｃ，４Ｄの入口側との間に、一方の系列の冷・温水回路２Ａと他方の系列の冷・温水回路２Ｂとを直列に接続し、１系統の冷・温水回路２に対して、複数台（４台）の空冷ヒートポンプチラー４Ａないし４Ｄを直列に接続した直列回路６が構成可能とされている。
【００２８】
上記並列回路５および直列回路６は、一の系列の冷・温水回路２Ａの出口側に設けられた第１電磁弁７、他の系列の冷・温水回路２Ｂの入口側に設けられた第２電磁弁８、および直列回路６に設けられた第３電磁弁９の３個の電磁弁７，８，９により構成される切替え手段を介して、いずれか一方の回路に切替え可能とされている。つまり、第１電磁弁７および第２電磁弁８を開、第３電磁弁９を閉とすることにより、１系統の冷・温水回路２に対して各々２台の空冷ヒートポンプチラー４Ａ，４Ｂおよび４Ｃ，４Ｄが互いに並列に接続された並列回路５が形成され、第１電磁弁７および第２電磁弁８を閉、第３電磁弁９を開とすることにより、１系統の冷・温水回路２に対して４台の空冷ヒートポンプチラー４Ａないし４Ｄの全てが直列に接続された直列回路６が形成されるようになっている。
【００２９】
複数台の空冷ヒートポンプチラー４Ａないし４Ｄは、図２に示されるように、それぞれ圧縮機１０、四方切換弁１１、熱源側空気熱交換器１２、加熱用電子膨張弁（ＥＥＶＨ）１３、可溶栓１４付きレシーバ１５、冷却用電子膨張弁（ＥＥＶＣ）１６、利用側の冷媒／水熱交換器１７、およびアキュームレータ１８を備えており、これらを冷媒配管１９で接続することにより閉サイクルの冷凍サイクル２０を構成している。このような冷凍サイクル２０自体は、公知のものである。
【００３０】
冷媒／水熱交換器１７の水配管側には、上記冷・温水回路２Ａ，２Ｂを構成する入口配管２１および出口配管２２が接続されるようになっており、該冷媒／水熱交換器１７において、水配管側を流れる水と冷媒配管側を流れる冷媒とを熱交換することにより、冷却運転時には冷水、加熱運転時には温水が得られるように構成されている。また、冷却用電子膨張弁（ＥＥＶＣ）１６に対しては、加熱運転時に開とされる電磁弁２３が並列に接続されているとともに、加熱用電子膨張弁（ＥＥＶＨ）１３とレシーバ１５との間を接続している液冷媒配管ライン１９Ｂと、アキュームレータ１８と圧縮機１０との間を接続している吸入配管１９Ｃとの間に、流量調整弁２４を備えた液冷媒バイパス回路２５が設けられている。
【００３１】
さらに、レシーバ１５と冷却用電子膨張弁（ＥＥＶＣ）１６との間を接続する液冷媒配管ライン１９Ｂには、液冷媒配管ライン１９Ｂ内を流れる液冷媒を冷却して過冷却を付与する過冷却熱交換器２６が設けられている。この過冷却熱交換器２６は、例えば二重管熱交換器等によって構成されるものであり、二重管熱交換器の一方の流路に液冷媒配管ライン１９Ｂが接続され、他方の流路に液冷媒配管ライン１９Ｂから分岐した分岐配管により構成される過冷却回路２７が接続されている。
【００３２】
この過冷却回路２７における過冷却熱交換器２６の冷媒入口側には、過冷却用電子膨張弁（ＥＥＶＳＣ）２８が設けられ、過冷却回路２７側に分流される冷媒量を調整するとともに、該冷媒を減圧して過冷却熱交換器２６に供給可能な構成とされている。また、過冷却回路２７の他端側は、過冷却熱交換器２６の出口側において、圧縮機１０の吸入配管１９Ｃに設けられているアキュームレータ１８の入口側に接続されている。
【００３３】
また、上記過冷却回路２７には、圧縮機１０の吐出配管１９Ａと、過冷却熱交換器２６の出口側、すなわち過冷却熱交換器２６の吸入配管１９Ｃ側との間を接続する高圧コントロール用のバイパス回路２９が設けられている。バイパス回路２９は、切替え手段を構成するバイパス回路２９側に設けられた電磁弁３０およびバイパス回路２９の接続位置よりも吸入配管１９Ｃ側において過冷却回路２７に設けられた電磁弁３１を介して接続されており、過冷却回路２７を機能させるとき、電磁弁３０が閉、電磁弁３１が開とされ、高圧コントロール用のバイパス回路２９を機能させるとき、電磁弁３０が開、電磁弁３１が閉とされるようになっている。
【００３４】
さらに、ヒートポンプシステム１には、１系統の冷・温水回路２内を流れる水の流量を検出する流量計３２が設けられ、該流量計３２により検出される水の流量に応じて、切替え手段を構成している第１ないし第３電磁弁７，８，９をＯＮ／ＯＦＦし、冷・温水回路２を並列回路５または直列回路６のいずれか一方の回路に切替える制御部３３が設けられている。制御部３３は、冷・温水回路２を流れる水の流量が設定流量以上となって、直列回路６のままでは水ポンプ３が揚程不足により水を流し切ることができなくなる虞がある場合、冷・温水回路２を並列回路５に切替えるものである。
【００３５】
水ポンプ３は、図３に示されるように、流量が増えるにつれて機外揚程が漸次小さくなる性能特性を有しており、複数台の空冷ヒートポンプチラー４Ａないし４Ｄを、上記の如く直列に接続した場合と並列に接続した場合では、直列に接続した場合の方が、冷・温水回路２の配管長（冷・温水回路２Ａ，２Ｂおよび直列回路６の配管長の加算値）が長くなる分だけ、機外揚程が並列回路５の場合に比べて小さくなる。従って、流量が或る流量を超えたとき、冷・温水回路２を直列回路６から並列回路５に切替えることにより、水ポンプ３の機外揚程を大きくすることができる。
【００３６】
また、空冷ヒートポンプチラー４Ａないし４ＤのＣＯＰ（成績係数）特性は、図４に示されるように、冷・温水回路２を並列回路５とした場合よりも、直列回路６とした場合の方の入力が小さくなることから、ＣＯＰが良くなる。つまり、水の流量と圧縮機入力（コンプ入力）およびポンプ入力の関係を、並列回路５と直列回路６の場合についてそれぞれ比較すると、圧縮機入力は、図５（Ａ）に示されるように、直列回路６の方が並列回路５の場合よりも小さくなり、ポンプ入力は、図５（Ｂ）に示されるように、並列接続の方が直列接続の場合よりも小さくなる。
【００３７】
図４の入力特性は、図５（Ａ）および（Ｂ）の合算値を表したのであり、水流量が或る流量以下の領域では、直列回路６の方の入力値が並列回路５の場合の入力値よりも小さくなることから、直列回路６の方が高効率となり、ＣＯＰが高くなる。これは、冷・温水回路２を直列回路６に切替え、複数台のヒートポンプチラー４Ａないし４Ｄに対して直列に水を流すことにより、各冷媒／水熱交換器１７での水流量の低下を防ぎ、水側の熱伝達率の低下を抑えることができるためである。一方、水流量が或る流量以上の領域では、直列回路６の場合、ポンプ揚程が不足するおそれがあることから、冷・温水回路２を並列回路５に切替える必要があり、並列回路５の場合の入力（ＣＯＰ）が支配的となる。
【００３８】
さらに、制御部３３は、流量計３２の検出値に基づいて、上記の如く、冷・温水回路２を並列回路５または直列回路６に切替えるものであるが、この制御部３３に対して、手動操作スイッチ３４を設けることができる。この操作スイッチ３４は、並列回路５および直列回路６の回路切替えを行う第１ないし第３電磁弁７，８，９のＯＮ／ＯＦＦ切替えを手動操作によって行うものであり、ヒートポンプシステム１の用途や負荷側の要求仕様等に対応して、予め並列回路５または直列回路６のいずれか一方に固定して使用することが望ましい場合、該操作スイッチ３４を手動で操作して冷・温水回路２を並列回路５または直列回路６のいずれかに固定して使用することを可能とするものである。
【００３９】
以上に説明の構成により、本実施形態によれば、以下の作用効果を奏する。
上記のヒートポンプシステム１によると、水ポンプ３を介して１系統の冷・温水回路２に水を給水し、この水を複数台の空冷ヒートポンプチラー４Ａないし４Ｄで順次冷却または加熱することにより、冷水または温水を製造することができ、この冷水または温水を負荷側に供給することで空調等、所要の用途に供することができる。
【００４０】
各々の空冷ヒートポンプチラー４Ａないし４Ｄでは、冷却運転時、冷媒は四方切換弁１１により実線矢印方向に循環され、加熱運転時、冷媒は四方切換弁１１により破線矢印方向に循環される。これによって、冷却運転時には、熱源側空気熱交換器１２を凝縮器、利用側冷媒／水熱交換器１７を蒸発器として機能させ、入口配管２１から流入して出口配管２２から流出する水を冷却することにより、冷水を製造することができる。また、加熱運転時には、利用側冷媒／水熱交換器１７を凝縮器、熱源側空気熱交換器１２を蒸発器として機能させ、入口配管２１から流入して出口配管２２から流出する水を加熱することによって、温水を製造することができる。
【００４１】
この間、液冷媒配管ライン１９Ｂを流通する高圧液冷媒の一部を過冷却回路２７側に分流し、この冷媒を過冷却用電子膨張弁（ＥＥＶＳＣ）２８で減圧して過冷却熱交換器２６に導入することにより、液冷媒配管ライン１９Ｂ側を流れる液冷媒と熱交換させ、その蒸発潜熱で液冷媒を冷却して過冷却を付与することができる。過冷却熱交換器２６で蒸発された冷媒は、アキュームレータ１８の入口側で吸入配管１９Ｃに合流され、圧縮機１０へと吸入される。
【００４２】
また、低外気温下での冷却運転時や加熱負荷が過大となる加熱運転時等において、高圧圧力が上昇せず、これが原因で低圧保護装置が作動し、運転を継続することが困難となる事態に陥るのを避けるため、外気温や圧力を検出し、必要に応じて電磁弁３０を開、電磁弁３１を閉とすることにより、圧縮機１０から吐出された高圧冷媒ガスの一部をバイパス回路２９、過冷却回路２７、過冷却熱交換器２６、過冷却用電子膨張弁（ＥＥＶＳＣ）２８を経て液冷媒配管ライン１９Ｂ側にバイパスし、高圧をコントロールして運転を継続できるようにしている。
【００４３】
一方、１系統の冷・温水回路２を流れる水の流量が設定流量以下である場合、流量計３２でそれを検出し、制御部３３を介して第１電磁弁７および第８電磁弁７を閉、第３電磁弁９を開とすることにより、冷・温水回路２を直列回路６に切替え、４台の空冷ヒートポンプチラー４Ａないし４Ｄの全てを直列に接続した状態とし、それぞれの冷媒／水熱交換器１７に対して直列に水を流通するようにしている。これによって、各冷媒／水熱交換器１７を流通する水の流量を確保し、水側の熱伝達率の低下を抑制して各空冷ヒートポンプチラー４Ａないし４Ｄを高効率で運転することができ、冷水または温水を効率よく製造することができる。
【００４４】
また、冷・温水回路２を流れる水の流量が増加した場合、図３に示されるように、水ポンプ３の機外揚程が漸次小さくなり、或る流量を超えると、揚程不足により水を流し切ることができなくなる虞がある。しかるに、本実施形態では、流量計３２で検出の水流量が設定流量を超えた場合、制御部３３により第１電磁弁７および第８電磁弁７を開、第３電磁弁９を閉とし、冷・温水回路２を並列回路５に切替えて水を冷・温水回路２Ａ，２Ｂに対して平行に流通させ、空冷ヒートポンプチラー４Ａ，４Ｂおよび４Ｃ，４Ｄに対して並列に水を流すようにしている。このため、冷・温水回路２の配管長を直列回路６とした場合に比べて短くすることでき、図３に示されるように、水ポンプ３の機外揚程を増大することで水を流し切ることができるようになる。
【００４５】
このように、本実施形態によると、冷・温水回路２を流れる水の流量が増大し、水ポンプ３が揚程不足により水を流し切ることができなくなる虞がある場合、複数台の空冷ヒートポンプチラー４Ａないし４Ｄへの冷・温水回路２を系列毎の並列回路５に切替え、各空冷ヒートポンプチラー４Ａないし４Ｄに対する冷・温水回路２側の配管長を短くすることでポンプ揚程を確保し、水を流し切ることができる。一方、水の流量が低流量となり、ポンプ揚程に余裕がある場合、複数台の空冷ヒートポンプチラー４Ａないし４Ｄへの冷・温水回路２を直列回路６に切替え、各空冷ヒートポンプチラー４Ａないし４Ｄに対して直列に水を流すことによって、冷媒／水熱交換器１７での水流量の低下を防ぎ、水側の熱伝達率の低下を抑制して各空冷ヒートポンプチラー４Ａないし４Ｄを高効率で運転することができる。
【００４６】
その結果、水ポンプ３を必要以上に高揚程ポンプあるいは大容量ポンプとする必要がなくなり、水ポンプ３を低コスト化、省動力化することができるとともに、複数台の空冷ヒートポンプチラー４Ａないし４Ｄをそれぞれ高効率で運転し、ＣＯＰ（成績係数）を向上することができる。
【００４７】
また、本実施形態では、並列回路５を複数の系列（冷・温水回路２Ａ，２Ｂ）毎の空冷ヒートポンプチラー４Ａ，４Ｂと４Ｃ，４Ｄとを１系統の冷・温水回路２に対して、互いに並列に接続した回路とし、直列回路６が、一の系列（冷・温水回路２Ａ）の空冷ヒートポンプチラー４Ａ，４Ｂの冷・温水回路２Ａの出口側と、他の系列（冷・温水回路２Ａ）の空冷ヒートポンプチラー４Ｃ，４Ｄの冷・温水回路２Ｂの入口側との間を接続する回路としている。このため、切替え手段により系列毎に並列に接続されている回路２Ａ，２Ｂを１系統の冷・温水回路２に対して連通状態とするか、または一の系列の冷・温水回路２Ａの出口側および他の系列の冷・温水回路２Ｂの入口側を閉じ、その間を接続する直列回路６を連通状態とするかによって、複数台の空冷ヒートポンプチラー４Ａないし４Ｄへの冷・温水回路２を並列回路５または直列回路６の一方に簡易に切替えできる。従って、運転状況に応じて複数台の空冷ヒートポンプチラー４Ａないし４Ｄを直列または並列に切替え接続することで、状況に応じた最適な運転を行わせることができる。
【００４８】
また、並列回路５および直列回路６の切替え手段が、一の系列の冷・温水回路２Ａの空冷ヒートポンプチラー４Ａ，４Ｂの出口側に設けられた第１電磁弁７、他の系列の冷・温水回路２Ｂの空冷ヒートポンプチラー４Ｃ，４Ｄの入口側に設けられた第２電磁弁８および直列回路６に設けられた第３電磁弁９により構成されており、第１電磁弁７および第２電磁弁８を開、第３電磁弁９を閉とすることにより、各系列の冷・温水回路２Ａ，２Ｂを並列に接続した並列回路５を形成し、第１電磁弁７および第２電磁弁８を閉、第３電磁弁９を開とすることにより、各系列の冷・温水回路２Ａ，２Ｂを直列に接続した直列回路６を形成することができる。このため、安価な電磁弁７，８，９を用い、そのＯＮ／ＯＦＦによって並列回路５または直列回路６に簡易に切替えることができ、回路切替えの信頼性を確保することができる。
【００４９】
さらに、本実施形態では、制御部３３を設け、冷・温水回路２側での水の変流量を流量計３２等により検出し、水の流量が設定値以上の大流量となって、水ポンプ３が揚程不足となる流量を超えた場合、第１ないし第３電磁弁７，８，９を介して複数台の空冷ヒートポンプチラー４Ａないし４Ｄの冷・温水回路２を直列回路６から並列回路５に切替えることができる。このように、冷・温水回路２側の流量を監視し、水の流量が設定値以上の場合は、並列回路５に、設定値以下の場合は、直列回路６に自動的に切替えるようにすることで、水ポンプ３の揚程不足や空冷ヒートポンプチラー４Ａないし４Ｄの効率悪化を解消することができる。
【００５０】
加えて、手動操作スイッチ３４を設け、該操作スイッチ３４に手動操作により第１ないし第３電磁弁７，８，９を介して冷・温水回路２を並列回路５または直列回路６のいずれかに切替え可能としているため、ヒートポンプシステム１の用途や負荷側の要求仕様等に対応して、予め並列回路５または直列回６のいずれか一方に固定して使用することが望ましい場合は、手動操作スイッチ３４で並列回路５または直列回路６のいずれかに固定して使用することができる。従って、手動操作スイッチ３４を設けることにより、ヒートポンプシステム１の使い方を多様化することができる。
【００５１】
［他の実施形態］
以下に、本発明の他の実施形態について説明する。
（１）上記した第１実施形態においては、それぞれ２台の空冷ヒートポンプチラー４Ａと４Ｂおよび４Ｃと４Ｄを直列に接続し、それを２系列の冷・温水回路２Ａ，２Ｂに接続することにより、２台の空冷ヒートポンプチラー４Ａ，４Ｂと４Ｃ，４Ｄとを互いに並列に接続した並列回路５を構成し、これに直列回路６を接続することにより、並列回路５と直列回路６とに切替え可能としているが、２系列の冷・温水回路２Ａ，２Ｂに設ける空冷ヒートポンプチラーは、各２台に限定されるものではなく、１台あるいは３台以上としてもよく、また、冷・温水回路２を３系列以上に分け、同様の回路構成としてもよい。この場合においても、第１実施形態と同様の効果を得ることができるとともに、空冷ヒートポンプチラーの接続台数を容易に増減することができるため、ヒートポンプシステム１としての能力の調整を容易化することができるとともに、水ポンプ３や各空冷ヒートポンプチラーのＣＯＰを最適化することができる。
（２）冷・温水回路２を複数の系列に分け、それぞれの系列に複数台の空冷ヒートポンプチラーを接続する場合、各系列に接続される空冷ヒートポンプチラー同士を一体にモジュール化して設置するようにしてもよく、この場合、系列毎に複数台の空冷ヒートポンプチラーをモジュール化し、一体で据え付けることができるため、空冷ヒートポンプチラーの接続台数が増える程、据え付けの容易化とその低コスト化を図ることができる。
（３）第１実施形態では、並列回路５および直列回路の切替え手段として、３個の第１電磁弁７、第２電磁弁８および第３電磁弁９を設けた構成としているが、第１電磁弁７および第３電磁弁９を、直列回路６の冷・温水回路２Ａへの接続部に設け三方切替え弁によって代替することができる。これにより、切替え手段を構成する弁の数を低減し、冷・温水回路２を簡素化することができ、従って、部品点数および冷・温水回路２の配管施工時の工数を低減し、低コスト化を図ることができる。
【００５２】
なお、本発明は、上記実施形態にかかる発明に限定されるものではなく、その要旨を逸脱しない範囲において、適宜変形が可能である。空冷ヒートポンプチラー４Ａないし４Ｄは、上記の如く冷媒回路構成としたものに限らず、如何なる冷媒回路構成のヒートポンプチラーであってもよい。また、上記実施形態の如く、冷却運転と加熱運転の切替えができるものに限らず、冷却専用または加熱専用のヒートポンプチラーとしてもよい。
【符号の説明】
【００５３】
１  ヒートポンプシステム
２  冷・温水回路
２Ａ  一の系列の冷・温水回路
２Ｂ  他の系列の冷・温水回路
３  水ポンプ
４Ａ，４Ｂ，４Ｃ，４Ｄ  空冷ヒートポンプチラー
５  並列回路
６  直列回路
７  第１電磁弁（切替え手段）
８  第２電磁弁（切替え手段）
９  第３電磁弁（切替え手段）
３２  流量計
３３  制御部
３４  手動操作スイッチ
【図１】
0005931412.tif 000002
【図２】
0005931412.tif 000003
【図３】
0005931412.tif 000004
【図４】
0005931412.tif 000005
【図５】
0005931412.tif 000006